(57)【特許請求の範囲】
【請求項１】
灸材を挿入されて温灸に供される装置であって、
被施術者の被施術部位に面する第１の開口部と、該第１の開口部の反対に位置する第２の開口部とを有する筐体と、
前記第２の開口部付近に位置するように前記筐体内に設けられていると共に、前記灸材を前記筐体外から前記第１の開口部側へ挿入させ支持する挿支孔を少なくとも一つ有する挿置部材と、を具えており、
前記挿置部材は網であり、その網目が前記挿支孔となっていることを特徴とする温灸装置。
【請求項２】
前記第１の開口部付近に位置するように前記筐体内に設けられていると共に、その網目の大きさが前記挿支孔よりも小さい隔離網を更に具えていることを特徴とする請求項１に記載の温灸装置。
【請求項３】
前記筐体に回転可能に挿設された少なくとも１つのボルト部材と、対応する前記ボルト部材と締結されており且つ前記挿置部材に固定されている少なくとも１つの締結部材とを有するように構成され、前記ボルト部材が回転されると、前記挿置部材を前記隔離網に近づいたり遠ざかったりするように移動させる間隔調整ユニットを更に具えていることを特徴とする請求項２に記載の温灸装置。
【請求項４】
前記筐体の前記第１の開口部側が人体当接部材となっており、
前記人体当接部材および前記筐体の前記第１の開口部付近にある前記隔離網は、被施術者の被施術部位の形状に適合する形状に形成されていることを特徴とする請求項２または３に記載の温灸装置。
【請求項５】
前記挿置部材と前記隔離網とは、それぞれの網目が互い違いとなるように配列されていることを特徴とする請求項２〜４のいずれか一項に記載の温灸装置。
【請求項６】
前記筐体の前記第２の開口部のある相対する両側にはそれぞれ開渠的なガイド溝が他の一つと開渠が相対して平行し、対になるように設けられており、
前記対になっているガイド溝には、前記第２の開口部を覆うようにカバー板が摺動自在に嵌められていることを特徴とする請求項１〜５のいずれか一項に記載の温灸装置。
【請求項７】
前記筐体の内部に連通するように前記筐体の上部に設けられた排煙管と、前記筐体の内部の空気を該排煙管を通して外部に排出できるように該排煙管に組み込まれているファンとを有する排気ユニットを更に具えていることを特徴とする請求項１〜６のいずれか一項に記載の温灸装置。
【請求項８】
前記筐体は、前記第１の開口部と前記第２の開口部とが略水平方向に面し、且つ、前記人体当接部材および前記筐体の前記第１の開口部付近にある前記隔離網が人体の背部の形状に適合するように構成されており、
前記筐体の下側に、前記灸材の燃焼灰を受ける灰受け皿が着脱自在に設けられていることを特徴とする請求項４に記載の温灸装置。
【発明の詳細な説明】
【技術分野】
【０００１】
本発明は、温灸装置に関し、更に詳しくは温灸を人体に施すための装置に関する。
【背景技術】
【０００２】
もぐさ等（以下「灸材」）を人体の皮膚に載せて火をつけ、その熱気や煙によって治療を行う灸療法が古来より行われている。しかし、皮膚に灸材を直接載せて火をつけた場合、その熱さの調整は困難であり、被施術者が火傷を負ったり苦痛を感じたりすることもある。そこで、空間を空けたり他のものを間に挟むなどして、灸材が皮膚に直接接触しないように灸療法を行う方法がある。このような方法は温灸と総称されている。
【０００３】
温灸を行うための装置として、例えば特許文献１に示したものが知られている（図１および図２参照）。この温灸装置１は、本体１０、蓋２０、網３０を有している。本体１０は上開口１０２と下開口１０３を有する截頭円錐状に形成されており、その内部に上下開口１０２、１０３と繋がる収容空間１０１が設けられている。蓋２０は上開口１０２を覆うように設けられており、また、網３０は、収容空間１０１内の下開口１０３近くに、収容空間１０１を、上開口１０２側の燃焼空間１０４と、下開口１０３側の灸空間１０５に隔てるように設置されている。使用の際には、点火された灸材を燃焼空間１０４内で網３０に載せてから蓋２０で上開口１０２を覆い、下開口１０３側から温灸装置１を被施術者の被施術部位、即ち治療効果を与えたい身体部位の皮膚上に載置することで、灸材の燃焼による輻射熱を灸空間１０５越しに被施術者の皮膚に放射することができる。
【先行技術文献】
【特許文献】
【０００４】
【特許文献１】台湾登録実用新案第Ｍ４０７０６８号公報
【発明の概要】
【発明が解決しようとする課題】
【０００５】
しかしながら、上記従来の温灸装置では、一度に一つの箇所にしか温灸を施すことができない。複数の箇所に同時に温灸を施したい場合、その分の個数の装置が必要となる。しかも、例えば背部や腹部へ施術する際には、被施術者がうつぶせ（図２参照）や仰向けの姿勢でないと、該装置を被施術者の身体に載置することができないので不便である上に、被施術者が身動きをとると、装置が滑り落ちるという問題点もある。
【０００６】
本発明は、上記事情に鑑みて提案されたもので、同時に複数の箇所に温灸を施すことができる上に、被施術者の姿勢が一定でなくても、安定して所望の箇所に温灸を施すことができる温灸装置の提供を目的とする。
【課題を解決するための手段】
【０００７】
前記目的を達成するために、本発明は、灸材を挿入されて温灸に供される装置であって、被施術者の被施術部位に面する第１の開口部と、該第１の開口部の反対に位置する第２の開口部とを有する筐体と、前記第２の開口部付近に位置するように前記筐体内に設けられていると共に、前記灸材を前記筐体外から前記第１の開口部側へ挿入させ支持する挿支孔を少なくとも一つ有する挿置部材とを具えていることを特徴とする温灸装置を提供する。前記灸材は、柱状や錐状などになったものを使用することもできるし、棒状に捏ねておいたものを使用すれば前記挿支孔への挿入に特に便利である。
【０００８】
本発明に係る温灸装置においては、前記挿置部材を網として、その網目が前記挿支孔となるように構成しても構わない。
【０００９】
また、前記第１の開口部付近に位置するように前記筐体内に設けられていると共に、その網目の大きさが前記挿支孔よりも小さい隔離網を更に具えていることが好ましい。これは、前記挿置部材から挿入された灸材が不意に隔離網の網目を突き抜けて被施術部位に至って火傷を与えることを避けるための措置である。
【００１０】
さらに、前記筐体に回転可能に挿設された少なくとも１つのボルト部材と、対応する前記ボルト部材と締結されており且つ前記挿置部材に固定されている少なくとも１つの締結部材とを有するように構成され、前記ボルト部材が回転されると、前記挿置部材を前記隔離網に近づいたり遠ざかったりするように移動させる間隔調整ユニットを更に具えていることが好ましい。
【００１１】
また、前記筐体の前記第１の開口部側が人体当接部材となっており、前記人体当接部材および前記筐体の前記第１の開口部付近にある前記隔離網は、被施術者の被施術部位の形状に適合する形状に形成されているとよい。
【００１２】
なお、前記挿置部材と前記隔離網とは、前記挿置部材から挿入された灸材が不意に隔離網の網目を突き抜けて被施術部位に至って火傷を与えることがないよう、それぞれの網目が互い違いとなるように配列されていてもよい。
【００１３】
また、前記筐体の前記第２の開口部のある相対する両側にはそれぞれ開渠的なガイド溝が他の一つと開渠が相対して平行し、対になるように設けられており、前記対になっているガイド溝には、前記第２の開口部を覆うようにカバー板が摺動自在に嵌められていると好ましい。
【００１４】
さらに、前記筐体の内部に連通するように前記筐体の上部に設けられた排煙管と、前記筐体の内部の空気を該排煙管を通して外部に排出できるように該排煙管に組み込まれているファンとを有する排気ユニットを更に具えているとよい。
【００１５】
また、前記筐体は、配置姿勢が温灸装置の使用方式や被施術者の被施術姿勢、被施術部位により選択される。例えば、座った姿勢の被施術者に対してその背部や胸部、腹部等前部に温灸を施す場合、前記筐体が、その前記第１の開口部と前記第２の開口部とが略水平方向に面する姿勢になっている温灸装置を使用した方が良い。うつぶせ（図２参照）や仰向けの姿勢になっている被施術者に対してその背部や胸部、腹部等前部に温灸を施す場合、前記筐体が、その前記第１の開口部と前記第２の開口部とが略鉛直方向に面する上に、前記第１の開口部が下へ向かう姿勢になっている温灸装置を使用した方が良い。また、手や腕、腿、足専用の姿勢に適するように構成されることも可能である。いずれの姿勢が採用されても、それに適合する機構が必要であるが、従来の機構技術であるので、それらを一々説明することを省き、以下主に座った姿勢の被施術者に用いる場合の実施形態を例として説明する。被施術者が座った姿勢になっていて背部に温灸を受ける場合、前記第１の開口部と前記第２の開口部とが略水平方向に面し、且つ、前記人体当接部材および前記筐体の前記第１の開口部付近にある前記隔離網が人体の背部の形状に適合するように構成した方がよい。
【００１６】
また、前記筐体の下側に、前記灸材の燃焼灰を受ける灰受け皿を着脱自在に設けても構わない。
【発明の効果】
【００１７】
本発明に係る温灸装置によれば、複数の灸材１００を挿置部材２２に挿入することができるので、一つの装置のみで被施術者の身体における複数の箇所に同時に温灸を施すことができる。
【図面の簡単な説明】
【００１８】
【図１】従来の温灸装置を示す分解斜視図である。
【図２】従来の温灸装置の使用態様を示す図である。
【図３】本発明に係る温灸装置の第１の実施形態を示す斜視図である。
【図４】本発明に係る温灸装置の第１の実施形態を示す背面図である。
【図５】本発明に係る温灸装置の第１の実施形態における間隔調整ユニットを示す部分拡大図である。
【図６】本発明に係る温灸装置の第１の実施形態の変化例を示す背面図である。
【図７】本発明に係る温灸装置の第１の実施形態の使用態様を示す側面図である。
【図８】本発明に係る温灸装置の第２の実施形態を示す背面図である。
【図９】本発明に係る温灸装置の第２の実施形態におけるカバー板とガイド溝との嵌合態様の一例を示す斜視図である。
【図１０】本発明に係る温灸装置の第３の実施形態を示す斜視図である。
【発明を実施するための形態】
【００１９】
以下、具体的な実施形態を挙げて本発明を詳しく説明する。
【００２０】
（第１の実施形態）
図３〜図５は、本発明に係る温灸装置の第１の実施形態を示している。温灸装置２は、図７に示されているようにもぐさ等からなる例えば棒状の灸材１００を少なくとも一本挿入して被施術者に温灸を施すための装置であり、概ね、筐体２１と、挿置部材２２と、隔離網２３と、間隔調整ユニット２４と、人体当接部材２５とを有している。
【００２１】
筐体２１は、正面視矩形状に形成されており、使用時に被施術者の被施術部位（例えば背部、腹部、腕、脚など。本実施形態では背部）に面する第１の開口部２１１と、第１の開口部２１１の反対に位置する第２の開口部２１２とを有している。この内、本実施形態では、第１の開口部２１１が被施術者の被施術部位の形状（本実施形態では背部の形状）に適合する曲面状に形成されている。図示における第１の開口部２１１の形状は被施術部位を背部とした例であり、本発明はこの形状の具体例に限定されるものではない。
【００２２】
挿置部材２２は、本実施形態においては網状に形成された部材であり、筐体２１の第２の開口部２１２付近に位置するように、具体的に言うと筐体２１内から第２の開口部２１２を塞ぐように筐体２１内に設けられている。また、挿置部材２２には、灸材１００を筐体２１の外から第１の開口部２１２側へ挿入させこれを支持する挿支孔２２１が形成されている。なお、本実施形態においては上述のように挿置部材２２は網であり、その網目がそれぞれ挿支孔２２１となっている。
【００２３】
隔離網２３は、筐体２１の第１の開口部２１１付近に位置するように、具体的に言うと筐体２１内から第１の開口部２１１を塞ぐように筐体２１内に設けられている。また、挿置部材２２の挿支孔２２１から挿入された灸材１００の先端が隔離網２３の網目２３１を通り越して第１の開口部２１１より突き出ないようにするため、隔離網はその網目２３１の大きさが挿置部材２２の網目（即ち挿支孔２２１）よりも小となるように構成されている。
【００２４】
なお、挿置部材２２の挿支孔２２１から挿入された灸材１００の先端が隔離網２３の網目２３１を通り越して第１の開口部２１１より突き出ないようにするためには、上記の方法以外にも、例えば隔離網２３と挿置部材２２とをそれぞれの網目が互い違いとなるように配列されるように構成してもよく、この場合、挿置部材２２と隔離網２３とは互いの網目の大きさが同じであってもよい。このようにすれば、挿置部材２２および隔離網２３としては同じ規格で製造された網を用いることができるので、製造コストを下げることが可能となる。
【００２５】
さらに、挿置部材２２は、網状のものに限らず、例えば図６に示されているように、それぞれに灸材１００を挿入させると共にこれを支持できる挿支孔２２３が複数形成されている細長い金属片２２２を複数用いて、これら金属片２２２が互いに間隔をおいてそれぞれ平行するように構成してもよく、要は灸材１００を挿入させてこれを支持できる孔を複数有しさえすれば、その形状は本発明において限定されるものではない。また、灸材１００として図示では棒状のものを示しているが、これに限らず、挿支孔２２１、２２３の大きさによっては、例えば柱状や錐状の灸材を用いることもできる。
【００２６】
間隔調整ユニット２４は、挿置部材２２と隔離網２３との間隔を調整するために設けられるものであり、図５に示されているように、第２の開口部２１２側から第１の開口部２１１側に向かう方向に沿って筐体２１に回転可能に挿入されているボルト部材２４２と、ボルト部材２４２と締結されており、且つ、挿置部材２２に筐体２１の内側から固定されている締結部材２４１とを有するように構成されている。なお、本実施形態における締結部材２４１は、ボルト部材２４２と係合できるナットであり、図４に示されているようにボルト部材２４２と締結部材２４１とをそれぞれ、筐体２１の第２の開口部２１２の四角付近に１組ずつ合計４組設けた。
【００２７】
締結部材２４１は挿置部材２２に固定されており回転しないので、ボルト部材２４２が回転されると、両者の締結により、対応する締結部材２４１は挿置部材２２と共にボルト部材２４２の軸方向に沿って前後に移動する。つまり、ボルト部材２４２を回転させることにより、挿置部材２２を隔離網２３に近づいたり遠ざかったりするように移動させることができる。これにより、灸材１００のもともとの長さ、または燃焼による減り具合に合わせて、挿置部材２２の挿入されている灸材１００の燃焼部位（つまり先端部分）と被施術者の身体における被施術部位との距離を調整することができる。
【００２８】
人体当接部材２５は、筐体２１の第１の開口部２１１側で隔離網２３と重なるように隔離網２３の外側に設けられており、温灸装置２が被施術者に被施術部位を例えば靠れかけられるように或いは載せられるようにして用いられる際に、その被施術部位に当接してこれを支えるために設けられたものである。本実施例においては、それぞれが相同の湾曲面２５１を有しており且つ筐体２１の第１の開口部２１１側と繋がるように互いに間隔をおいて平行して設けられている複数の帯状板から人体当接部材２５を構成した。
【００２９】
なお、図７に示されているように、本実施形態では温灸装置２が被施術者の背部に温灸を施すように用いられるので、筐体２１の第１の開口部２１１、隔離網２３ならびに人体当接部材２５はそれぞれ人体の背部の形状に適合するように構成されている。また、座位の状態の被施術者に用いているので、筐体２１は、第１の開口部２１１と第２の開口部２１２とが略水平方向に面している。
【００３０】
一方、温灸装置２が被施術者の他の部位、例えば腕や脚などに温灸を施すように用いられる場合は、筐体２１の第１の開口部２１１、隔離網２３ならびに人体当接部材２５をそれぞれ該部位に適合するように構成してもよい。また、筐体２１は、第１の開口部２１１と第２の開口部２１２とが略鉛直方向に面するようにあるいは斜方向に面するように構成してもよい。
【００３１】
以上の構成により、温灸装置２を例えば被施術者の背部に対して使用する際には、図７に示されているように、例えば座位のままその背部を人体当接部材２５に靠れかけるようにすると共に、点火した灸材１００を、その先端が隔離網２３における被施術部位に対応する位置に近づくように、挿置部材２２における被施術部位に対応する位置にある挿支孔２２１に挿入することで、温灸を施すことができる。この際に、燃焼している灸材１００の先端は、隔離網２３により人体と隔離されているので、灸材１００の先端が人体に直接触れてしまい被施術者がやけどを負うようなことがない。
【００３２】
また、灸材１００は先端から燃焼が進むにつれて短くなり、その先端と隔離網２３との距離が徐々に長くなるが、これと対応するように、間隔調整ユニット２４のボルト部材２４２を回転させて挿置部材２２を隔離網２３に近づけることで、灸材１００の先端と隔離網２３との距離を一定に保つことができる。これにより被施術者に与える温灸の効果（具体的には熱による刺激）を一定に保つことができる。
【００３３】
さらに、本発明に係る温灸挿置２を、例えば被施術者がうつぶせになってその背部に用いる際、または仰向けになって腹部に用いる際、あるいは腕や脚などに用いる際には、筐体２１の隔離網２３を下側に、挿置部材２２を上側に配置して使用してもよく、このように使用される場合、隔離網２３の網目２３１の大きさを数ミリ以下にすれば、灸材１００の燃焼灰が隔離網２３を通り抜けて人体に落ちることを防ぐことができる。このような細部の変化は実施時の需要によりなされればよく、ここでは贅説を省く。
【００３４】
（第２の実施形態）
図８および図９は本発明に係る温灸挿置の第２の実施形態を示しており、第１の実施形態と異なる点は、筐体２１の第２の開口部２１２側に１対のガイド溝２１３が設けられていると共にこれらガイド溝２１３にカバー板２７が嵌められている点である。
【００３５】
具体的に言うと、筐体２１の第２の開口部２１２のある相対する両側（本実施形態においては左右両側）には、それぞれ開渠的な、つまり一側面が開放しているガイド溝２１３が、他の一つと互いの開渠が相対して平行、つまり互いの開放側が相対するように平行し、対になるように設けられている。また、これら対になっているガイド溝２１３には、第２の開口部２１２を覆うようにカバー板２７が摺動自在に嵌められている。
【００３６】
カバー板２７が摺動自在となるように、ガイド溝２１３の幅は、カバー板２７の厚みに対応しており、また、ガイド溝２１３同士の間隔は、カバー板２７の幅と対応している。
【００３７】
以上の構成により、例えば点火した灸材１００を挿置部材２２に挿入してからカバー板２７をガイド溝２１３に嵌めて第２の開口部２１２を塞ぐことで、灸材１００の燃焼により発生した煙が第２の開口部２１２から筐体２１の外に大量に漏れることを防ぐことができる。
【００３８】
また、本実施形態においては更に、図８に示されているように、筐体２１内の下側に、灰受け皿２６を着脱自在に設けることもできる。例えば温灸挿置２を図７のように被施術者が座位の状態でその背部に用いる場合のように、第１の開口部２１１と第２の開口部２１２とが略水平方向に面するように筐体２１を配置して用いる場合には、灰受け皿２６を装着して灸材１００の燃焼灰を受けるようにしてもよい。
【００３９】
一方、例えば温灸挿置２を被施術者が臥位の状態でその背部や腹部に用いたりあるいは腕や脚に用いる場合のように、第１の開口部２１１と第２の開口部２１２とが略水平方向に面しないように筐体２１を配置して用いる場合は、灰受け皿２６を設けなくても良い。
【００４０】
灰受け皿２６は、例えば引き出し式にしてもよく、その具体的な形態は本発明において限定されない。
【００４１】
（第３の実施形態）
図１０は、本発明に係る温灸装置の第３の実施形態を示しており、第２の実施形態に類似するが、本実施形態における温灸装置２は、更に、排気ユニット２８を具えている。
【００４２】
排気ユニット２８は、筐体２１の内部に連通するように筐体２１の上部に設けられた排煙管２８２と、筐体２１の内部の空気を排煙管２８２を通して外部に排出できるように排煙管２８２に組み込まれているファン２８１とを有している。これにより、ファン２８１を稼動させると、灸材１００の燃焼により発生した煙を速やかに排気することができる。
【００４３】
なお、図示においてはファン２８１は筐体２１と排煙管２８２の間に配置されているが、ファン２８１の位置はこれに限らず、例えば排煙管２８２における筐体２１から離れた側に組み込まれても構わない。
【００４４】
以上総括すると、本発明に係る温灸装置２は、筐体２１と挿置部材２２とにより、複数の灸材１００を挿置部材２２の挿入すれば、被施術者の身体における複数の箇所に温灸を施すことができる。また、本発明に係る温灸装置２によれば、例えば被施術者の背部や腹部に温灸を施す際、被施術者の姿勢が座位であっても臥位であってもよく、また、その施術部位に関わらず、施術中に被施術者が身動きをとることもできる。更に、間隔調整ユニット２４が設けられていることにより、灸材１００と被施術部位との間隔を調整することができる。
【００４５】
以上、本発明の好ましい実施形態を説明したが、本発明はこれに限定されるものではなく、その要旨を逸脱しない範囲で種々変更可能である。
【産業上の利用可能性】
【００４６】
本発明に係る装置は、一つの装置のみで被施術者の身体における複数の箇所に同時に温灸を施すことができる上に、被施術者の姿勢が一定でなくても、安定して所望の箇所に温灸を施すことができるので、温灸を人体に施すための装置として有用である。
【符号の説明】
【００４７】
２    温灸装置
２１    筐体
２２    挿置部材
２３    隔離網
２４    間隔調整ユニット
２５    人体当接部材
２６    灰受け皿
２７    カバー板
２８    排気ユニット
１００    灸材
２１１    第１の開口部
２１２    第２の開口部
２１３    ガイド溝
２２１    挿支孔
２２２    金属片
２２３    挿支孔
２３１    網目
２４１    締結部材
２４２    ボルト部材
２５１    湾曲面
２８１    ファン
２８２    排煙管
【要約】
【課題】同時に複数の箇所に温灸を施すことができる上に、被施術者の姿勢が一定でなくても、安定して所望の箇所に温灸を施すことができる温灸装置を提供する。
【解決手段】灸材を挿入されて温灸に供される装置であって、被施術者の被施術部位に面する第１の開口部２１１と、第１の開口部２１１の反対に位置する第２の開口部２１２とを有する筐体２１と、第２の開口部２１２付近に位置するように筐体２１内に設けられていると共に、前記灸材を筐体２１の外から第１の開口部２１１側へ挿入させ支持する挿支孔を少なくとも一つ有する挿置部材とを具えていることを特徴とする温灸装置を提供する。
【選択図】図３【図１】
0005584327.tif 000002
【図２】
0005584327.tif 000003
【図３】
0005584327.tif 000004
【図４】
0005584327.tif 000005
【図５】
0005584327.tif 000006
【図６】
0005584327.tif 000007
【図７】
0005584327.tif 000008
【図８】
0005584327.tif 000009
【図９】
0005584327.tif 000010
【図１０】
0005584327.tif 000011